(57)【要約】【課題】害虫を捕獲する必要のある、例えば、ハウス・温室、工場、倉庫等において、害虫の捕獲性能（捕獲性）及び使い勝手に優れるとともに、害虫を広範囲から呼び寄せてしまうこともない害虫捕獲用部材を提供する。【解決手段】基材シート１１、及び基材シート１１の一対の端部に配設された、基材シート１１の表面に垂直な方向に延伸する端部枠シート１２、及び基材シート１１を貫通して仕切るとともに端部枠シート１２の表面に平行に配設された仕切りシート１３から立体的に構成された保持手段１と、保持手段１を構成する基材シート１１、端部枠シート１２及び仕切りシート１３の表面の少なくとも一部上に配設された誘引手段２と、誘引手段２の外部側の表面の少なくとも一部を被覆するように配設された捕獲手段３とから構成する。【選択図】図１
0003125788.tif 000002
【実用新案登録請求の範囲】
【請求項１】
基材シート、及び前記基材シートの一対の端部に配設された、前記基材シートの表面に垂直な方向に延伸する端部枠シートから立体的に構成された保持手段と、
前記保持手段を構成する前記基材シート及び前記端部枠シートの表面の少なくとも一部上に配設された誘引手段と、
前記誘引手段の外部側の表面の少なくとも一部を被覆するように配設された捕獲手段とを備え、
前記誘引手段で誘引した害虫を前記捕獲手段で捕獲することを特徴とする害虫捕獲用部材。
【請求項２】
前記保持手段が、前記基材シート及び前記端部枠シートに加えて、前記基材シートを貫通して仕切るとともに前記端部枠シートの表面に平行に配設された仕切りシートをさらに有し、かつ、前記誘引手段が、前記保持手段を構成する前記基材シート、前記端部枠シート及び前記仕切りシートの表面の少なくとも一部上に配設された請求項１に記載の害虫捕獲用部材。
【請求項３】
前記仕切りシートの延伸方向の幅が、前記端部枠シートの延伸方向の幅よりも大に形成された請求項２に記載の害虫捕獲用部材。
【請求項４】
前記誘引手段が、前記害虫に固有の誘引色を有する誘引色層である請求項１又は２に記載の害虫捕獲用部材。
【請求項５】
前記誘引手段を構成する前記誘引色層が、黄色、青色又は桃色に着色されてなる請求項４に記載の害虫捕獲用部材。
【請求項６】
前記捕獲手段が、透明粘着剤層である請求項１又は２に記載の害虫捕獲用粘着シート。
【請求項７】
前記保持手段を構成する前記基材シート及び前記端部枠シートが、ポリエステル、ポエチレン、ポリスチロ−ル及びポリウレタンからなる群から選ばれる少なくとも一種の合成樹脂、合成紙、紙、金属箔、又は不織布から構成されてなる請求項１に記載の害虫捕獲用部材。
【請求項８】
前記保持手段を構成する前記基材シート、前記端部枠シート及び前記仕切りシートが、ポリエステル、ポエチレン、ポリスチロ−ル及びポリウレタンからなる群から選ばれる少なくとも一種の合成樹脂、合成紙、紙、金属箔、又は不織布から構成されてなる請求項２に記載の害虫捕獲用部材。
【請求項９】
前記捕獲手段を構成する前記透明粘着剤層が、アクリル系、ゴム系及びシリコン系からなる群から選ばれる少なくとも一種の粘着剤を含有してなる請求項６に記載の害虫捕獲用部材。
【請求項１０】
粘着シートの展開体を組み立てることによって形成された請求項１又は２に記載の害虫捕獲用部材。
【請求項１１】
ネット状の袋の中に収納された請求項１又は２に記載の害虫捕獲用部材。
【考案の詳細な説明】
【技術分野】
【０００１】
本考案は、害虫捕獲用部材に関する。さらに詳しくは、害虫（例えば、トマト、ナス、メロン等に被害を与えるミナミキイロコナジラミ、オンシツコナジラミ、シルバーリーフコナジラミ等）を捕獲する必要のある、例えば、ハウス・温室等において、害虫の捕獲性能（捕獲性）及び使い勝手に優れるとともに、害虫を広範囲から呼び寄せてしまうこともない害虫捕獲用部材に関する。
【背景技術】
【０００２】
ハウス・温室等における害虫防除には、農薬や殺虫剤の使用が不可欠であるが、環境対策や市場からの要請によって、農薬や殺虫剤の使用を減らした所謂「減農薬栽培」が研究されている。一方、生物を害虫駆除に利用した所謂「生物農薬」の使用が普及し始めているが、コスト高にならざるを得ないことと、生態系の保全等の使用環境の慎重な検討が必要であることから、普及の拡大にはまだ時間を要するのが現状である。
【０００３】
害虫を捕獲するための害虫捕獲用部材として、害虫の誘引色（害虫を誘引する性質を有する色）である黄色、青色又は桃色を着色した粘着シ−トが広く使用されている。また、一部に、害虫の誘引剤やフェロモン剤を併用したものや、上述の粘着シ−トに紫外線ランプを組み合わせたものも普及している。さらに、粘着面積を大きくするため、アコ−デオン構造を有するものが知られている（特許文献１参照）。
【特許文献１】特開２０００−４７５４号公報
【考案の開示】
【考案が解決しようとする課題】
【０００４】
しかしながら、誘引色である黄色、青色又は桃色に着色した粘着シ−トの場合、使用時の天候や、着色における色相のバラツキ等に影響されて、害虫の捕獲性が左右されるという問題があった。また、実際にハウス・温室内で害虫を捕獲する場合、誘引色である黄色、青色又は桃色に着色した粘着シ−トを用いて、捕獲能力を高めるために粘着シ−トを、例えば、５０ｃｍ間隔に設置する必要があり、このように粘着シ−トの設置密度を高く設定せねばならないことに起因して、作業者に対して作業の煩雑さや粘着シ−トとの接触による不快感をもたらすとともに、植物に対しても粘着シ−トの貼着による不具合を発生させるという問題があった。また、最近、コンジラミ類やアザミウマ類が誘引色である黄色、青色又は桃色に慣れたことに起因して誘引色の誘引効果が減少したため、粘着シ−トを長期間設置しなればならないこととなり、粘着部にコミや砂埃が付着して粘着効果が失われ易くなるという問題があった。
【０００５】
また、特許文献１に記載された誘引剤を用いたものの場合、誘引剤として一般的な昆虫を対象にしているので、捕獲性の面で大きな効果を期待することができないとともに、このような誘引剤を用いたものの場合、誘引剤の揮散が激しく、使用可能な有効期間が短いという問題があった。また、その有効範囲は誘引剤が揮散し、害虫が知覚しうる範囲に限定されるため、開放的な場所で用いたり、揮散範囲が狭い（効力が弱い）ものを用いると、捕獲性を低下させてしまうことになり、その反面、誘引剤として揮散範囲が広い（効力が強い）ものを用いると、害虫を広範囲から呼び寄せてしまうことにもなるという二律背反の問題があった。また、フェロモン剤を用いたものの場合、使用範囲が特定の害虫に限定され、広範囲の害虫には用いることができないとともに、設置場所に制約があることや広範囲から害虫を呼び寄せてしまうという問題があった。また、誘引剤及びフェロモン剤は、法律上農薬扱いのため、特定農薬の申請を必要とし、使用における制約があった。さらに、紫外線ランプを用いたものは、紫外線による誘引効果はあるが、ハウス・温室内で使用した場合、外部の害虫までも誘引して引き寄せることになるのであまり使われていないのが現状である。
【０００６】
本考案は、上述の問題に鑑みてなされたものであり、害虫を捕獲する必要のある、例えば、ハウス・温室、工場、倉庫等において、害虫の捕獲性能（捕獲性）及び使い勝手に優れるとともに、害虫を広範囲から呼び寄せてしまうこともない害虫捕獲用部材を提供することを目的とする。
【課題を解決するための手段】
【０００７】
上記目的を達成するため、本考案者等は、昆虫の感覚（視覚）生理学を基礎に種々研究した結果、粘着シ−トを立体的な構造にし、粘着シート面に所定の明るさのコントラストを付与することによって害虫の誘引効果（害虫捕獲率）を抜群に向上させることができることを見出し、本考案を完成させた。すなわち、本考案によって以下の害虫捕獲用部材が提供される。
【０００８】
［１］基材シート、及び前記基材シートの一対の端部に配設された、前記基材シートの表面に垂直な方向に延伸する端部枠シートから立体的に構成された保持手段と、前記保持手段を構成する前記基材シート及び前記端部枠シートの表面の少なくとも一部上に配設された誘引手段と、前記誘引手段の外部側の表面の少なくとも一部を被覆するように配設された捕獲手段とを備え、前記誘引手段で誘引した害虫を前記捕獲手段で捕獲することを特徴とする害虫捕獲用部材。
【０００９】
［２］前記保持手段が、前記基材シート及び前記端部枠シートに加えて、前記基材シートを貫通して仕切るとともに前記端部枠シートの表面に平行に配設された仕切りシートをさらに有し、かつ、前記誘引手段が、前記保持手段を構成する前記基材シート、前記端部枠シート及び前記仕切りシートの表面の少なくとも一部上に配設された前記［１］に記載の害虫捕獲用部材。
【００１０】
［３］前記仕切りシートの延伸方向の幅が、前記端部枠シートの延伸方向の幅よりも大に形成された前記［２］に記載の害虫捕獲用部材。
【００１１】
［４］前記誘引手段が、前記害虫に固有の誘引色を有する誘引色層である前記［１］又は［２］に記載の害虫捕獲用部材。
【００１２】
［５］前記誘引手段を構成する前記誘引色層が、黄色、青色又は桃色に着色されてなる前記［４］に記載の害虫捕獲用部材。
【００１３】
［６］前記捕獲手段が、透明粘着剤層である前記［１］又は［２］に記載の害虫捕獲用粘着シート。
【００１４】
［７］前記保持手段を構成する前記基材シート及び前記端部枠シートが、ポリエステル、ポエチレン、ポリスチロ−ル及びポリウレタンからなる群から選ばれる少なくとも一種の合成樹脂、合成紙、紙、金属箔、又は不織布から構成されてなる前記［１］に記載の害虫捕獲用部材。
【００１５】
［８］前記保持手段を構成する前記基材シート、前記端部枠シート及び前記仕切りシートが、ポリエステル、ポエチレン、ポリスチロ−ル及びポリウレタンからなる群から選ばれる少なくとも一種の合成樹脂、合成紙、紙、金属箔、又は不織布から構成されてなる前記［２］に記載の害虫捕獲用部材。
【００１６】
［９］前記捕獲手段を構成する前記透明粘着剤層が、アクリル系、ゴム系及びシリコン系からなる群から選ばれる少なくとも一種の粘着剤を含有してなる前記［６］に記載の害虫捕獲用部材。
【００１７】
［１０］粘着シートの展開体を組み立てることによって形成された前記［１］又は［２］に記載の害虫捕獲用部材。
【００１８】
［１１］ネット状の袋の中に収納された前記［１］又は［２］に記載の害虫捕獲用部材。
【考案の効果】
【００１９】
本考案によって、害虫を捕獲する必要のある、例えば、ハウス・温室、工場、倉庫等において、害虫の捕獲性能（捕獲性）及び使い勝手に優れるとともに、害虫を広範囲から呼び寄せてしまうこともない害虫捕獲用部材が提供される。
【考案を実施するための最良の形態】
【００２０】
以下、本考案を実施するための最良の形態を、図面を参照しつつ具体的に説明する。
【００２１】
図１は、本考案の害虫捕獲用部材の一の実施の形態を模式的に示す斜視図である。図１に示すように、本実施の形態の害虫捕獲用部材１０は、基材シート１１、及び基材シート１１の一対の端部に配設された、基材シート１１の表面に垂直な方向に延伸する端部枠シート１２、及び基材シート１１を貫通して仕切るとともに端部枠シート１２の表面に平行に配設された仕切りシート１３から立体的に構成された保持手段１と、保持手段１を構成する基材シート１１、端部枠シート１２及び仕切りシート１３の表面の少なくとも一部上に配設された誘引手段２と、誘引手段２の外部側の表面の少なくとも一部を被覆するように配設された捕獲手段３とを備え、誘引手段２で誘引した害虫を捕獲手段３で捕獲する構成を有している。
【００２２】
本実施の形態の害虫捕獲用部材１０は、上述のように、害虫の誘引手段２及び捕獲手段３を保持する保持手段１が立体的な構造に構成され、保持手段１の平面部分（基材シート１１）と凹凸面部分（端部枠シート１２及び仕切りシート１３）に明るさのコントラストが発生する構造になっている。これは、昆虫の視覚生理学の研究からすると、昼行性の昆虫にとっては、光量の変化（△Ｉ）に対する反応の大きさ（△Ｒ）の比△Ｒ／△Ｉが増大することを意味し、コントラスト視が向上するため、害虫が強く誘引されることになる。
【００２３】
また、最近の研究では、英国サセックス大学のＮａｔａｌｉｅ  Ｈｅｍｐｅｌ  ｄｅ  Ｉｂａｒｒａ博士によって、その実験から、セイヨウミツバチは、色の情報と明るさのコントラストの情報を補助的に使いながら、効果的に視覚定位を行っていることが発表されている。つまり、ミツバチは遠方から接近する時はむしろ明るさのコントラストの情報を使っていることが示唆されている。これは、黄色に誘引されるコナジラミ類の行動範囲は約２ｍで、黄色粘着面への接近、付着はゆっくりで偶然に近いことであるが、黄色面に明るさのコントラストがあると、視覚定位で粘着面により強く誘引され、付着の可能性が増大する。太陽光が直接当っている面と完全な影の面では効果が小さいが、太陽光が直接当っている面の明と薄暗がりの面の暗とのコントラストがより誘引効果を高めると考えられる。
【００２４】
このような明暗は、本実施の形態において、平面（基材シート１１）と、この平面に対して垂直な平面（端部枠シート１２及び仕切りシート１３）とを設置することで実現されている。
【００２５】
また、仕切りシート１３には懸架用の孔４が配設され、懸架用の孔４を介して懸架手段５が接続されている。このように、平面（基材シート１１）を垂直に懸架して、平面（基材シート１１）に垂直な平面（端部枠シート１２及び仕切りシート１３）を設置することで、誘引効果が高まり、例えば、ハウス内の害虫を効率よく捕獲することができるようになる。
【００２６】
図２は、保持部材の断面形状を示す断面図であり、図２（ａ）は基材シートの部分、図２（ｂ）は端部枠シートの部分、図２（ｃ）は仕切りシートの部分の断面形状をそれぞれ示す。
【００２７】
図２（ａ）に示すように、保持部材１における基材シート１１の部分の場合、基材シート１１の両面に誘引手段２（例えば、誘引色層２１）及び捕獲手段３（例えば、透明粘着剤層３１）を配設することが好ましいが、基材シート１１の片面に誘引手段２（誘引色層２１）及び捕獲手段３（透明粘着剤層３１）を配設してもよい。
【００２８】
図２（ｂ）に示すように、保持部材１における端部枠シート１２の部分の場合、端部枠シート１２の両面に誘引手段２（誘引色層２１）及び片面に捕獲手段３（透明粘着剤層３１）をそれぞれ配設することが好ましい。すなわち、端部枠シート１２の外側の表面には捕獲手段３（透明粘着剤層３１）を配設しない方が取り扱い易さの面で好ましい。
【００２９】
図２（ｃ）に示すように、保持部材１における仕切りシート１３の部分の場合、仕切りシート１３の両面に誘引手段２（誘引色層２１）及び捕獲手段３（透明粘着剤層３１）を配設することが好ましいが、仕切りシート１３の片面に誘引手段２（誘引色層２１）及び捕獲手段３（透明粘着剤層３１）を配設してもよい。
【００３０】
以下、各構成要素について具体的に説明する。
【００３１】
（保持手段）
本実施の形態に用いられる保持手段１を構成する基材シート１１、端部枠シート１２及び仕切りシート１３としては、後述する誘引手段２（誘引色層２１）及び捕獲手段３（透明粘着剤層３１）を確実かつ円滑に保持することができるものであれば特に制限はないが、例えば、ポリエステル、ポエチレン、ポリスチロ−ル及びポリウレタンからなる群から選ばれる少なくとも一種の合成樹脂、合成紙、紙、金属箔、又は不織布から構成されてなるものを好適例として挙げることができる。基材シート１１、端部枠シート１２及び仕切りシート１３はそれぞれ同一の材料から構成されることが好ましいが、異なった材料から構成されてもよい。
【００３２】
端部枠シート１２は片方の端部だけに配設してもよく、また、仕切り部材１３は用いなくてもよいが、明るさのコントラストのバランスの観点からは、通常、端部枠シート１２は両方の端部に配設することが好ましく、また、仕切り部材１３は１〜３枚用いることが好ましく、１〜２枚用いることがさらに好ましい。端部枠シート１２及び仕切り部材１３の配設枚数が５枚を超えると、部材間に挟まれている面の明るさのコントラストが不明確になり、害虫の誘引性が低下することがある。
【００３３】
また、仕切り部材１３は等間隔に配設することが、仕切りシート１３の表面と挟まれている基材シート１１の表面との間の明るさのコントラストが均一になり捕虫効果が向上することから好ましい。
【００３４】
端部枠シート１２の片方の表面及び仕切りシート１３の両面の面積と基材シート１１の両面の面積との面積比は、１：５であることが好ましく、１：２であることがさらに好ましい。この面積比が１：５を超えると基材シート１１の表面が明るすぎることになりコントラストが低下することがある。仕切りシート１３の取付け角度は基材シート１１の表面に対して、４５度〜１２０度が好ましく、８０度〜１００度がさらに好ましい。この範囲を外れると、仕切りシート１３の表面が明るすぎたり、暗すぎたりして、コントラストバランスがやや崩れることがある。
【００３５】
これらの各基材シートシート１１、端部枠シート１２、仕切りシート１３に太陽が移動して光が当ることによって、端部枠シート１２や仕切り面１３の表面が薄暗くなったり、基材シート１１の表面が薄暗くなったりして誘引効果を向上させることができる。
【００３６】
図１に示すように、基材シート１１、端部枠シート１２及び仕切りシート１３の下方の端部は、後述するネット状袋６（図３参照）に収納しやすくするため曲面形状に構成されている。
【００３７】
仕切りシート１３（特に中央部に配設されるもの）の延伸方向の幅は、ネット状袋６の網目を最大に広げた形態とするために、端部枠シート１２の延伸方向の幅よりも大に形成されることが好ましい。
【００３８】
（誘引手段）
本実施の形態に用いられる誘引手段２（誘引色層２１）としては、例えば、黄色、青色又は桃色に着色されてなるものを好適例として挙げることができる。黄色、青色又は桃色の誘引色は、マンセル表色値を用いた反射色で、黄色は、色相：４Ｙ、明度：７、彩度：１４、また、青色は、色相：３．０ＰＢ、明度：５．４、彩度：１０．６、また、桃色は、色相：５Ｒ、明度：６．５、彩度：８の範囲のものであることが好ましい。この場合、誘引色層２１は、基材シート１１、端部枠シート１２及び仕切りシート１３に黄色、青色又は桃色の顔料を印刷方式で塗膜層を形成してもよく、黄色、青色又は桃色の顔料を基材シ−ト１に練り込んで形成してもよい。また、本実施の形態に用いられる誘引手段２としては、誘引色層２１の他に、例えば、誘引剤（フェロモン剤）、紫外線反射剤（例えば、酸化亜鉛、酸化カルシウム、酸化チタン、酸化鉛、蛍光顔料及びアルミニウム粉体からなる群から選ばれる少なくとも一種）、紫外線吸収剤（例えば、サルチル酸系、ベンゾフエノン系及びベンゾトリアゾ−ル系からなる群から選ばれる少なくとも一種）等を使用又は併用してもよい。
【００３９】
（捕獲手段）
本実施の形態に用いられる捕獲手段３（例えば、透明粘着剤層３１）としては、特に制限はないが、アクリル系、ゴム系及びシリコン系からなる群から選ばれる少なくとも一種の透明粘着剤を含有してなるものを好適例として挙げることができる。なお、透明粘着剤層３１は、誘引手段２（誘引色層２１）の外部側の表面の全体を被覆したものであってもよく、少なくとも一部を被覆するものであってもよい。
【００４０】
透明粘着剤層３１の配設方法としては、特に制限はないが、例えば、印刷方式、塗装方式、貼付け方式等から任意の方法を用いることができる。透明粘着剤層３１の厚さは、例えば、１０〜８０μｍが好ましく、２５〜７０μｍがさらに好ましい。
【００４１】
図３に示すように、作業者の皮膚や植物が透明粘着剤層３１に直接付着するのを防止するため、害虫捕獲用部材１０の全体を害虫が入り込むことが可能な開口を有するネット状袋６の中に収納することが好ましい。これは、作業者が肌を露出した夏季において特に有効である。このようなネット状袋６の材質としては、例えば、ポリエチレン樹脂、ポリプロピレン樹脂等が好ましい。また、透明、白色、黄色又は青色に着色されたものであって、ネットの目合が４〜５ｍｍ角以内（益虫がハチ類の場合には４ｍｍ角以内）が好ましい。このように構成することによって、害虫（例えば、シルバーリーフコナジラミ）のみを内部に侵入させて益虫（例えば、マルハナバチ）を侵入させないようにすることができる。
【００４２】
また、吊り下げて設置することが可能な懸架手段５を有してなることが、害虫捕獲用部材１０の使い勝手を向上させる上で好ましい。具体的には、仕切りシート１３に懸架用の孔４を介して懸架することが好ましい。懸架用の孔４を形成する代わりに、両面テープ（図示せず）を用いて懸架手段５を接続してもよい。この場合、両面テープは伸縮性を有するものであることが好ましい。
【００４３】
（害虫捕獲用部材の製造方法）
以下、本実施の形態の害虫捕獲用部材を製造する方法について説明する。
【００４４】
図４は、本実施の形態の害虫捕獲用部材の製造に用いられる粘着シートの展開体の形状を示す説明図である。図４に示すように、本実施の形態に用いられる粘着シートの展開体Ｔは、保持部材として基材シート１１、端部枠シート１２及び仕切りシート１３に対応する部分を有し、図４において斜線を施した部分に誘引色層２１及び透明粘着層３１が積層されて形成されている。端部枠シート１２に対応する部分のうち斜線を施していない部分は、外側の表面に該当する部分であり、誘引色層２１及び透明粘着層３１は積層されていない（誘引色層２１は積層してもよい）。このように構成された粘着シートの展開体Ｔを適宜折り畳んで立体的に組み立てることによって、簡易かつ安価に本実施の形態の害虫捕獲用部材を製造することができる。
【００４５】
上述の製造方法の他に、立体的に組み立てた保持部材１（基材シート１１、端部枠シート１２及び仕切りシート１３）の表面上に、所定の形状に切り抜いた誘引色層２１及び透明粘着層３１から構成された粘着シートを貼り合わせてもよい。また、立体的に組み立てた保持部材１（基材シート１１、端部枠シート１２及び仕切りシート１３）の表面上に、カラースプレーや粘着スプレー、又は刷毛やブラシによって、誘引色層２１及び透明粘着層３１を形成してもよい。
【実施例】
【００４６】
以下、本考案を実施例によってさらに具体的に説明するが、本考案はこれらの実施例によって何ら限定されるものではない。
【００４７】
（実施例１）
保持手段として、耐水性ミルクカ−トン紙製の、基材シート（寸法：１０ｃｍ×２５ｃｍ）と、基材シートの両端に配設した端部枠シート（寸法：５ｃｍ×２５ｃｍ）と、基材シートの中央部に配設した仕切りシ−ト（寸法：６ｃｍ×２５ｃｍ）とから構成されたものを用い、この保持手段に、誘引手段として、黄色の顔料を印刷方式で形成した誘引色層と、捕獲手段として、アクリル系の透明粘着剤層とをそれぞれ配設し、耐水性ミルクカ−トン紙製の害虫捕獲用部材を作製した。なお、透明粘着剤層は、端部枠シートの外部側の表面には形成しなかった。得られた害虫捕獲用部材について、トマトハウスで捕虫試験を１４日間実施した。保持手段の各シート部位における害虫（コナジラミ類）の捕獲数を表１に示す。
【００４８】
（比較例１）
実施例１において、保持手段として、端部枠シート及び仕切りシ−トを配設しなかったこと以外は実施例１と同様にした。得られた害虫捕獲用部材について、トマトハウスで捕虫試験を１４日間実施した。基材シートにおける害虫（コナジラミ類）の捕獲数を表１に示す。
【００４９】
（比較例２）
実施例１において、保持手段、誘引手段及び捕獲手段として、市販の黄色粘着シ−ト（寸法：１０ｃｍ×２５ｃｍ）を用いたこと以外は実施例１と同様にした。得られた害虫捕獲用部材について、トマトハウスで捕虫試験を１４日間実施した。基材シート（市販の黄色粘着シ−ト）における害虫（コナジラミ類）の捕獲数を表１に示す。
【００５０】
【表１】
0003125788.tif 000003
【００５１】
表１から、実施例１で得られたものは、比較例１及び２で得られたものに比べて３倍以上のコナジラミ類が捕獲できることが分かる。
【産業上の利用可能性】
【００５２】
本考案の害虫捕獲用部材は、害虫の発生を防止する必要のある、各種産業分野、例えば、ハウス・温室、工場、倉庫等を用いた施設園芸内の栽培農業で有効に利用される。
【図面の簡単な説明】
【００５３】
【図１】本考案の害虫捕獲用部材の一の実施の形態を模式的に示す斜視図である。
【図２】保持部材の断面形状を示す断面図であり、図２（ａ）は基材シートの部分、図２（ｂ）は端部枠シートの部分、図２（ｃ）は仕切りシートの部分の断面形状をそれぞれ示す。
【図３】害虫捕獲用部材の全体をネット状袋の中に収納した状態を示す斜視図である。
【図４】本実施の形態の害虫捕獲用部材の製造に用いられる粘着シートの展開体の形状を示す説明図である。
【符号の説明】
【００５４】
１  保持部材
１１  基材シート
１２  端部枠シート
１３  仕切りシート
２  誘引手段
２１  誘引色層
３  捕獲手段
３１  透明粘着剤層
４  懸架用の孔
５  懸架手段
６  ネット状袋
１０  害虫捕獲用部材
Ｔ  粘着シートの展開体
【図１】
0003125788.tif 000004
【図２】
0003125788.tif 000005
【図３】
0003125788.tif 000006
【図４】
0003125788.tif 000007
【手続補正書】
【提出日】平成18年7月3日(2006.7.3)
【手続補正２】
【補正対象書類名】実用新案登録請求の範囲
【補正対象項目名】全文
【補正方法】変更
【補正の内容】
【実用新案登録請求の範囲】
【請求項１】
基材シート、及び前記基材シートの一対の端部に配設された、前記基材シートの表面に垂直な方向に延伸する端部枠シートから立体的に構成された保持手段と、
前記保持手段を構成する前記基材シート及び前記端部枠シートの表面の少なくとも一部上に配設された誘引手段と、
前記誘引手段の外部側の表面の少なくとも一部を被覆するように配設された捕獲手段とを備え、
前記誘引手段で誘引した害虫を前記捕獲手段で捕獲することを特徴とする害虫捕獲用部材。
【請求項２】
前記保持手段が、前記基材シート及び前記端部枠シートに加えて、前記基材シートを貫通して仕切るとともに前記端部枠シートの表面に平行に配設された仕切りシートをさらに有し、かつ、前記誘引手段が、前記保持手段を構成する前記基材シート、前記端部枠シート及び前記仕切りシートの表面の少なくとも一部上に配設された請求項１に記載の害虫捕獲用部材。
【請求項３】
前記仕切りシートの延伸方向の幅が、前記端部枠シートの延伸方向の幅よりも大に形成された請求項２に記載の害虫捕獲用部材。
【請求項４】
前記誘引手段が、前記害虫に固有の誘引色を有する誘引色層である請求項１又は２に記載の害虫捕獲用部材。
【請求項５】
前記誘引手段を構成する前記誘引色層が、黄色、青色又は桃色に着色されてなる請求項４に記載の害虫捕獲用部材。
【請求項６】
前記捕獲手段が、透明粘着剤層である請求項１又は２に記載の害虫捕獲用部材。
【請求項７】
前記保持手段を構成する前記基材シート及び前記端部枠シートが、ポリエステル、ポエチレン、ポリスチロ−ル及びポリウレタンからなる群から選ばれる少なくとも一種の合成樹脂、合成紙、紙、金属箔、又は不織布から構成されてなる請求項１に記載の害虫捕獲用部材。
【請求項８】
前記保持手段を構成する前記基材シート、前記端部枠シート及び前記仕切りシートが、ポリエステル、ポエチレン、ポリスチロ−ル及びポリウレタンからなる群から選ばれる少なくとも一種の合成樹脂、合成紙、紙、金属箔、又は不織布から構成されてなる請求項２に記載の害虫捕獲用部材。
【請求項９】
前記捕獲手段を構成する前記透明粘着剤層が、アクリル系、ゴム系及びシリコン系からなる群から選ばれる少なくとも一種の粘着剤を含有してなる請求項６に記載の害虫捕獲用部材。
【請求項１０】
粘着シートの展開体を組み立てることによって形成された請求項１又は２に記載の害虫捕獲用部材。
【請求項１１】
ネット状の袋の中に収納された請求項１又は２に記載の害虫捕獲用部材。
【手続補正３】
【補正対象書類名】明細書
【補正対象項目名】００１３
【補正方法】変更
【補正の内容】
【００１３】  ［６］前記捕獲手段が、透明粘着剤層である前記［１］又は［２］に記載の害虫捕獲用部材。